(57)【要約】【課題】個々人が所有する因子の供出を容認する事で自身の所有しない他の因子の提供に関しインターネットを利用して受ける事で個人では実現不可能な事業・計画・創作・ボランティア等枠に囚われない産業を活性化する。【解決手段】議題の提案者の基、発言者による骨子等を提示し議論を通し構築された中間案に対する投票者の投票行為によって方針を固め。更なる議論を経て提出された最終案に対し投票と資金提供を受け入れ、提供意思の基に集約された資金は、計画書上に記載された各個々人の契約の名の基に依頼されたネットワーク内若しくは外の交渉人及び交渉機関によって各計画開始までに必要な諸業務に対しインターネットを利用して差配する。計画終了時、構築された組織を賃貸・売却・子会社化して運用、蓄積した情報をサービスとして提供する。【選択図】図１
2005115880.tif 000002
【特許請求の範囲】
【請求項１】
各権限の購入時に請求する機密度により区分けした詳細な個人情報を各項目に其々無関係な乱数をあて、機密度の低い情報と其の項目毎に対応する乱数を記録したオンラインサーバーを通して其の乱数化した項目をランダムで複項目請求する事により本人との照合を確実化し其の後、機密度の高い情報を含むオフラインの個人情報管理機器を利用して本人に確認を取る個人情報管理法。
【請求項２】
日常の中で思い付いた事に関して着想提示権を購入し提案者として自己を責任者と定めインターネット上に議題として取り上げ提案する事で広く反応をみる機能。
【請求項３】
インターネット上に提示された議題に対して発言権を購入し発言者として具体化・実現化の基幹に関わる責任を負い派生する案件を提示する権利を得る機能。
【請求項４】
請求項目２及び３を通して構築された複数の概案及び骨子などの基本方針の内１つに対し、インターネット上の其の議題に対する投票権を購入し投票を行い又自己の票の引き下げる権利を得る機能。
【請求項５】
インターネット上の投票権行使による推敲、補正、分割、統合を経た計画書化及び正当な理由における発言者の権限に対する任免等を経て具体化していく投票行為の機能。
【請求項６】
以上の項目を経て出来上がった最終案に対して計画書上に記載された権利で各行程乃至全行程に出資の意思を示す資金提供者、購入予約者の募集をインターネット上で行う機能。
【請求項７】
各投票時に規定された票の７〜１０割集まった時点で其の項目からの投票の引き下げを禁じ、インターネット上で其の事を通知する機能。
【請求項８】
最終投票時に規定された金額の７〜１０割集まった時点で其の項目からの提供資金の引き下げを禁じ、インターネット上で其の事を通知する機能。
【請求項９】
資金提供者・発言者・提案者・投票者による資金の総額と購入予約者の予約代金の総額の和が計画書上実現可能で有ると言う金額に為り次第、資金の受入れを停止し計画書の記載に則り計画の代行者として当システムが計画始動に必要と為る仲介・差配・必要組織の立ち上げ・雇用・外注・公募の業務を請負、インターネットを通して進行状況・問題点・解決案を報告・提案・公募・投票する機能。
【請求項１０】
請求項７及び８の制限の下、購入予約権以外の権限を窓口として各行程乃至全体に増資又は減資する機能。
【請求項１１】
計画書上の記載された条件で雇用を望む被雇用人の募集をインターネット上で行う機能。
【請求項１２】
計画書上の記載された条件で外注を請け負う企業をインターネット上で募集する機能。
【請求項１３】
実現化した結果により請求項２から６又請求項１１及び１２で挙げられる顧客の参加履歴を蓄積し個々人の履歴書を付ける機能。
【請求項１４】
履歴書を個人情報等保護の為、条件付きでインターネット上に一般閲覧する事でその後の請求項２から１２までの過程に於いて各顧客に対する他の顧客の信頼性の指針にする機能。
【請求項１５】
顧客が起業家として行動をする時、履歴書の匿名性を解いて出資者や共同経営者・被雇用者をインターネット上で募る時の一助とする機能。
【請求項１６】
以上の項目を通して知り得た情報を分析し、守秘義務に抵触しない範囲の情報を整理・分析・析出し顧客の要望に応じてサービス化しインターネットを利用して提供していく業務。
【請求項１７】
請求項目９及び１１を繰り返す内に諸計画の実行の為に募集して立ち上げた部署等の集団又、其れを子会社化したものを適時必要に応じてインターネットを利用して売却・貸出及び外注の請負を行う機能。
【発明の詳細な説明】
【技術分野】
【０００１】本発明は、事業に関する各因子を遊離させ其々のリスクを分散し全体で相互干渉させ再構成する事により実現化を図る、インターネットを活用したビジネスモデルに関する。
【背景技術】
【０００２】個人情報保護や本人認証の為の発明は多数存在する（例えば、特許文献１参照。）。しかし、認証の全過程をインターネット上で処理するために認証に必要なデータをオンライン上に格納するものが多い。その結果、顧客情報流出と言う様な事件を起しかねない。又顧客本人のデータを本人に開示する為に其の個人の顧客データを一箇所に纏めている事で問題が起こった際、その顧客にとっての被害は甚大な物となる。【０００３】インターネット上で事業化企画案と出資者の募集を行い、投資機関や補助金制度を紹介する試みは、ベンチャーに対するエンジェル制度（例えば、特許文献２参照。）などの形でインターネット上などでも存在する。しかし、ホームページ上で紹介される事業企画を見るだけで出資を決断するのは高リスクであるし、企画立案者がすぐれた経営者である保証もない。権利の販売に関しても、オンラインオークション参加権やオンライントレードの口座設立等で何の眼新しさも無い、だが売られている権利は、ロイヤリティ契約などの大掛かりな物で素人には敷居が高すぎる、逆に価格の低いものは単純な行為しか出来ない、例えば鑑賞権ならばチケットを買って見るだけ（例えば、特許文献３参照。）やオンラインオークションなら出品するか購入する若しくは競りを行うか（例えば、特許文献４参照。）。其のどちらにも属さないとするとオンライントレードを経ての株主総会参加の様な物となり、出資額によって発言の及ぼす力が決まってしまう。此れでは平等の立場から議論を通しモノを創り上げる事は不可能だろう。成績に関しても企業や学校などで当然のように行われているが（例えば、特許文献５参照。）、顧客同士（企業、個人に関わらず）を互いに評価させるために書かれる事は無いし内容に関しては其れを武器に個々人が独立出来る程の物ではない、だから人を集めるほどの力を発揮する事も無い。其の流れから見ても、企業売却など日常茶飯事の様に行われているが設立される組織に対し、売却を最初から視野に入れ又は目的としている事を公表した上で商品の一つとして捕らえ、其の商品たる組織の価値を上げる為に育て広く購入者をインターネットで募集すると言う発想はまだ無い。また、顧客に学習支援を行うサービスは存在するが（例えば、特許文献６参照。）現在進行中のプロジェクトを教材に顧客の望む情報を提供しながら顧客の実力を伸ばし其れを教材として用いたプロジェクトだけでは無く様々なプロジェクトにフィードバックする場の提供をも視野に入れたサービスは存在しない。
【特許文献１】特許公開２００３−２８１３０３
【特許文献２】特許公開２００１−３１２５９８
【特許文献３】特許公開２００３−２７１７６９
【特許文献４】特許公開２００１−２２２６６４
【特許文献５】特許公開２００３−２８１３２５
【特許文献６】特許公開２００３−２６３５０８
【発明の開示】
【発明が解決しようとする課題】
【０００４】出資に関するリスクを低減し、より広範囲層の資本参入を容易にすれば、事業などの組織化に関する理解を広めると共に起業家を目指す層の裾野を広げ、その様な人達に対して修練の場を提供し、また広く産業に対し今まで関わりの薄かった層に対して理解と興味を得る効果があり、産業の活性化に貢献することができる。【０００５】また、実現化への過程を分散し個々の分野を得意とする人材に振り分ける事が出来れば、かならずしも経営に堪能ではない層からも柔軟な発想を得ることができ、評価や判断を含めた熟練他者との相乗効果を得ることができる。【０００６】本発明は、個々では実現不可能な各知的活動の実現にあたり、実現化に必要な各要素を因子まで分解して其々、その方面に詳しい、又は関心を持つ人材へ振り分けることでリスクを低減し、その人材を教育・組織化する事によって柔軟な発想と熟練した各行程を持つ組織を輩出し、産業を活性化しようとするものである。
【課題を解決するための手段】
【０００７】資金提供のリスクを低減するため、各権利の販売価格をポケットマネー程度に下げる。小額かつ煩雑な作業を反復継続的に行う必要があるため、インターネットを経由したコンピュータシステムを利用する。【０００８】各権利購入者には権利購入時に詳細な個人情報の提示を機密度毎に分けて請求しインターネットに限らず綿密な照合を行う。其の行程を経る事で各権利購入者に各実現化に対する責任の所在を明確にすると共に安易な誹謗中傷の書き込みを抑制する効果を与える。また匿名性の上に構築する各顧客間の信用に対しても提供された個人情報の内開示可能な物と当ネットワークとの間で作られる履歴を提示する事によって団体として、ある程度保障する事が可能となってくる。【０００９】発案・提起・呼掛け・提案等の行為はインターネットで公募する。応募のあった議題は、やはりインターネットで公開し、着想提示権・発言権所有者の議論を通して実現可能な雛形や流れ図を構築する、その後、概案・骨子に対する投票によって方向性を定め事業計画の推敲、補正、分割、統合を経て具体化を行う。【００１０】着想提示権（提案権）は一番機軸に為る権利ではあるが、着想提示者（提案者）の意思だけでなく提示する事柄の具体化の度合いや提案者の案が投票によってどれだけ残るかによって、ある程度権利の強さが決まってくる。計画が実行に移されても責任は消滅しない。理事や役員と近似した性質を持つ。購入した着想提示権を通して上限無しで資金提供を出来るが、元本無保証で、対価は計画書に記載された条件で支払われる。【００１１】各投票時、規定された票の６〜１０割集まった時点で其の項目からの投票の引き下げを禁じる。投票権者は発言権者よりも下位に属するが発言権者を任免する投票や総体的な構築過程での方向性はこの権利でのみ定める事が出来る。投票した計画に対し、上限無しで資金提供出来るが、元本無保証でしかも幾ら購入しても一計画に対しては一人一票、条件を満たす限り自己の票の引き下げも可能とし権利義務は計画書を構築する上で投票によって決定されるものとする。また、正当な理由が認められると言う条件の基で発言権者に対する不信任に対し不信任決議を起こす事が出来る。またその結果、剥奪（適当と判断される金銭で買い取った）した発言権を話し合い等により発言権購入希望者に委任（販売）する事も出来る。【００１２】発言権の売買は制限（投票権者による承認投票）を設ける事を前提に容認する。発言権者は初期参入者で提案権を除く他の権利購入者よりも責任と権利が大きく設定されており、この権利を購入すると其の計画に対する投票権は購入出来ない。更に、計画が実行に移されても責任は消滅しない。理事や役員と近似した性質を持つが投票権者の不信任決議で更迭・権限の買取り・権限の売却をされる事もある。購入した発言権を通して上限無しで資金提供を出来るが、元本無保証で、提供額に拠る発言力の拡大はない、対価は計画書に記載された条件で支払われる。【００１３】最終投票時、規定された金額及び票の６〜１０割集まった時点で其の項目からの資金及び票の引き下げを禁じる。購入予約権者は、最終投票時にのみ受入れし、其の計画上の提案は投票者より下位の強制力しか持たない。予約金は収計金額に加算される。全権利者購入可。権利義務は計画書上に明記されているものに準じる。資金提供権者は、最終投票時から購入出来る。【００１４】一つの議題から立ち上がった幾つかの各候補に対し最終投票と資金提供の受入れを行い出資総額が実現可能金額を満たし、かつ票が規定値を満たし次第、資金受入れの停止・部署ないし法人の立上・外注等の手段を使って実現を目指す。【００１５】最終投票までに当組織内部で実現遂行した場合の必要と為る諸経費を行程別に概算し最低必要額と算式を開示する。此れにより外注するか内部で立ち上げるかの判断基準の一つとして貰う。同時に各権利者の間に立ち助言を行い、議論が円滑に行われるように差配する。【００１６】実現遂行に際し、内部立上にしても外注にしても募集する個人ないし集団（法人だけに限らない）に対し綿密に打ち合わせと監査を行い、当組織との間に発生する経歴を次回の募集時にインターネット上へ表記する事で、その個人ないし集団に対する契約時の信用や評価の一助にする。此れによって雇用ないし外注契約対象の質と信頼の向上を図る。【００１７】計画遂行時に各権利者に対し適宜情報開示が行われる、其の密度及び速度は着想提示者・発言者・投票者・資金提供者・購入予約者の順で低下するが、発生した問題とそれに対する対策等に関しては同密度で開示する。【００１８】計画遂行時に各権利者に対し其の計画を教材にした、各視点（当組織の顧客・出資者・起業家・株主等）にたった場合に其々必要となる様々な教育サービスを行う。各権利者は此れを受ける事が出来る。この過程を経る事で投資や起業又次の当組織の計画への参加に対する忌避を和らげる効果を持つ。【００１９】計画の活動が不必要に為る、又は不可能に為った場合、計画書に則った形式で売却・解散等の判断を下し計画終了する前に最低限のアフターサービス業務を当ネットワークのホームページを利用して一定期間上限を設けた上で提供する契約を結ぶ事で品（商品又は役務）の購入者への安心を提供する。と共に此れまでの過程によって培われたノウハウを守秘義務に抵触しない範囲でサービスとして提供する。【００２０】ネットワーク内で計画遂行する為に立ち上げた諸々の組織に対し計画完了後、継続して他計画の業務を振り分ける以外に、子会社化・組織を丸ごと１つとして売却・構成単位ごとに売却・独立・組織解散を定め売却の場合、インターネットで売却の形態と概要及び履歴書の告知を行い、買い取り希望人を募集する。その後告知情報に従って売却。
【発明を実施するための最良の形態】
【００２１】図１は、本実施例の全体像を示すネットワークの概念図である。本実施例は、提案の募集・議題公開機能、発言者の募集機能、投票者の募集機能、資金提供者・購入予定者の募集機能、事業部乃至法人の代理設立機能、業務代理発注（外注）きのう、被雇用人（集団・法人も含む）の募集機能、実現化差配機能、事後処理業務機能から構成される。【００２２】図２は、一般のインターネット利用者から提案を募集し、発言者と出資者を募り計画実行可能に成るまでのフローチャートである。議題の募集には個人情報の提供と提案者権の購入と言う制限を設ける。【００２３】図３は、議題の閲覧と発言権購入により可能と為る骨子・概案の形成するディベートを経て構築した中間案（骨子・概案）の選定・評価を受け最終案に到る推敲等の作業の後、最終投票を受け計画実行可能に成るまでの流れを示すフローチャートである。提案のあった議題はその取り扱いに関するルールに同意し対象と為る議題の発言権を購入した発言権者のみに発言権が与えられる。【００２４】図４は、概案・骨子の閲覧を経て投票権を購入し中間案及び最終案の選定・評価するまでの流れを示すフローチャートである。投票権者は、公開されている企画案についてその事業性を評価し、有望と思われる中間案・最終案に対して投票行為と其の投票に増資する。又発言権者に対する、不信任決議・対応改善要求・発言権の売却承認・発言権の委任権を計画決定時まで有する。【００２５】図５は、最終案閲覧後、購入予約を入れるまでの流れを示すフローチャートである。購入予約権者は、最終案一覧内の計画書を閲覧後、計画書に記述されている権利責任で対象を購入する意思がある場合、其の条件を承諾して購入予約を行う登録をする。【００２６】図６は、最終案閲覧後、資金投入を行うまでの流れを示すフローチャートである。資本提供権者は、最終案一覧内の計画書を閲覧後、計画書に記述されている権利責任で対象に出資する意思がある場合、其の条件を承諾して資本投入を行う登録をする。【００２７】図７は、計画書決定稿に記載された雇用条件を閲覧後、被雇用契約を行うまでの流れを示すフローチャートである。被雇用希望人は、雇用条件を閲覧後、記載条件の権利責任で被雇用契約求める意思がある場合、其の条件を承諾し審査を受けその結果から導き出される諸事と初任給に納得して被雇用契約を締結する。【００２８】図８は、計画書決定稿に記載された外注条件を閲覧後、受注契約を行うまでの流れを示すフローチャートである。受注業者は、受注条件を閲覧後、記載条件の権利責任で受注契約を請け負う意思がある場合、其の条件を承諾し審査を受けその結果から導き出される諸事と報酬に納得した上で受注契約を締結する。【００２９】図９は、事業計画書の閲覧と選定・評価を経て出資希望を登録するまでの流れを示すフローチャートである。ネットワーク内で積み上げて来た経歴を記した履歴書を実名で公開した物とネットワーク内での其の事業計画書に対する評価を添付されたものを閲覧し事業性の評価を行い有望と思われる計画書に対して出資意思と其の額を登録する。【００３０】図１０は、組織の履歴書と契約書概案を閲覧し選定・評価を経て買収・賃貸希望を登録するまでの流れを示すフローチャートである。ネットワーク内で積み上げて来た経歴を記した履歴書を公開した物と契約書概案を閲覧し事業性の評価を行い有望と思われる組織に対して買収・賃貸意思と其の額を登録する。
【産業上の利用可能性】
【００３１】以上説明したように、本発明によれば次のような効果がある。
（１）企画化や経営のノウハウを持たない発案者も、アイデアだけで産業の振興に寄与することができ、その内容に応じた報酬を得ることも可能。【００３２】（２）興味さえあれば学生や子供にも参加の機会が得られ、参加に応じた対価を得ることもできる。【００３３】（３）小額多数の計画参加者を集めることは、その計画の事前評価を行うと同様の意義がある。【００３４】（４）産業との接点を低い敷居で提供する事で、より深く産業に対する認識と理解を得られる。【００３５】（５）反復継続的に利用する事で投資家、起業家等の経済人としての才覚を磨く事が出来る。【００３６】（６）蓄積された履歴より様々な社会科学上有用なデータが得られる。【００３７】（７）蓄積されたデータを利用して顧客の学習支援を行う事が出来る。
【図面の簡単な説明】
【００３８】
【図１】議題実現化運用ネットワークの略図
【図２】着想提示権者の辿る行程の図
【図３】発言者の辿る行程の図
【図４】投票者の辿る行程の図
【図５】資金提供者の辿る行程の図
【図６】購入予定者の辿る行程の図
【図７】被雇用予定者の辿る行程の図
【図８】受注予定業者の辿る行程の図
【図９】設立組織の辿る行程の図
【図１】
2005115880.tif 000003
【図２】
2005115880.tif 000004
【図３】
2005115880.tif 000005
【図４】
2005115880.tif 000006
【図５】
2005115880.tif 000007
【図６】
2005115880.tif 000008
【図７】
2005115880.tif 000009
【図８】
2005115880.tif 000010
【図９】
2005115880.tif 000011